(57)【要約】【課題】カット（コピー）またはペーストした文字列の視覚的な確認を容易にして編集の際の操作性向上をはかる。【解決手段】表示部（ディスプレイ１１）と、入力部（タッチセンサ１２）と、入力部により、表示部に表示された文字列の一部をカットまたはコピーした後、カットまたはコピーした部分を文章中の所定の位置にペーストする編集が可能な携帯端末装置１であって、文字列の一部がカットまたはコピーされたことを検出すると、カットまたはコピーされた文字列を、他の文字列とは異なる表示形態で表示部に一時表示する制御部（ＣＰＵ１００）、を有する。【選択図】図２
2014067284.tif 000002
【特許請求の範囲】
【請求項１】
少なくとも、表示部と、入力部とを備え、前記入力部により、前記表示部に表示された文字列の一部をカットまたはコピーした後、前記カットまたはコピーした部分を文章中の所定の位置にペーストする編集が可能な携帯端末装置において、
前記文字列の一部がカットまたはコピーされたことを検出すると、前記カットまたはコピーされた文字列を、他の文字列とは異なる表示形態で前記表示部に一時的に表示する制御部、
を備えたことを特徴とする携帯端末装置。
【請求項２】
前記制御部は、
前記文字列をカットまたはコピーする毎に、直近にカットされまたはコピーされた文字列とは異なる表示形態で逐次表示することを特徴とする請求項１記載の携帯端末装置。
【請求項３】
前記制御部は、
前記ペーストされた文字列を、他の文字列とは異なる表示形態で前記表示部に一時表示することを特徴とする請求項１記載の携帯端末装置。
【請求項４】
前記制御部は、
前記カットまたはコピーされた文字列の前記ペーストによる編集が終了したことを検知したときに、前記カットまたは前記コピーされた文字列の前記表示部への一時表示を解除することを特徴とする請求項１〜３のいずれか１項記載の携帯端末装置。
【請求項５】
前記制御部は、
前記表示部の画面の一部領域に割り当てられ表示される釦の押下を検知したときに、前記カットまたはコピーした文字列の前記表示部への一時表示を解除することを特徴とする請求項１〜４のいずれか１項記載の携帯端末装置。
【請求項６】
少なくとも、表示部と、入力部とを備え、前記入力部により、前記表示部に表示された文字列の一部をカットまたはコピーした後、前記カットまたはコピーした部分を文章中の所定の位置にペーストする文字列の編集が可能な携帯端末装置における文字の編集方法であって、
前記文字列の一部がカットまたはコピーされたことを検出するステップと、
前記カットまたはコピーされた文字列を、他の文字列とは異なる表示形態で前記表示部に一時的に表示するステップと、
を有することを特徴とする携帯端末装置における文字の編集方法。
【請求項７】
コンピュータによって制御され、表示された文字列の一部をカットまたはコピーした後、前記カットまたはコピーした部分を文章中の所定の位置にペーストする文字列の編集が可能な携帯端末装置に使用されるプログラムであって、
前記コンピュータに、
前記文字列の一部がカットまたはコピーされたことを検出する処理と、
前記カットまたはコピーされた文字列を、他の文字列とは異なる表示形態で一時的に表示する処理と、
を実行させるプログラム。
【発明の詳細な説明】
【技術分野】
【０００１】
本発明は、画面上に表示された文字列の一部をカットまたはコピーした後、このカットまたはコピーした部分を文章中の所定の位置にペーストする編集が可能な携帯端末装置、および同装置における文字の編集方法、ならびにプログラムに関する。
【背景技術】
【０００２】
従来、画面上に表示された文字列の指定された部分をカット（切り取り）し、あるいはコピー（複写）して、他の領域にペースト（貼り付け）する編集処理装置が知られている（例えば、特許文献１参照）。
【先行技術文献】
【特許文献】
【０００３】
【特許文献１】特開平７−１４６８６３号公報
【発明の概要】
【発明が解決しようとする課題】
【０００４】
特許文献１によれば、制御部は、文字列のカットやコピー操作が行われる毎に、その文字列をバッファメモリに格納し、これをポップアップウインドウに表示する。そして、このポップアップウインドウにペースト内容を示す選択情報が入力され、ペースト対象場所が指定されると、その選択情報に基づき、バッファ内の文字列をペースト対象場所に貼り付ける。すなわち、カットやコピーした文字を保持しておくことで、いつでもペーストを可能とし、その結果、テキストの編集効率を高めることができる。
【０００５】
しかしながら、特許文献１に開示された技術によれば、編集の際に文字列をカットすると、画面上で即座にその文字列を削除してしまうため、後にどの文字列をカットしたかわからなくなって編集する際に戸惑うことがあり、操作性が悪かった。また、誤った範囲をカットしてしまった場合、画面に表示されてある文字列を元に戻す必要があり、その場合の編集効率が悪かった。
【０００６】
一方、誤った範囲をコピーしてしまった場合、コピー後は画面からその選択範囲が削除されてしまうため、クリップボードを参照してもどの範囲をコピーしたかがわからない。また、文字列をペーストすると、即座にカットあるいはコピーした文字列をペーストしてしまうため、ペースト後はどこに文字列をペーストしたのかわからなくなってしまい、同じく後の編集に戸惑うことがあって編集効率が悪かった。
【０００７】
本発明は上記した課題を解決するためになされたものであり、カットまたはペーストした文字列の視覚的な確認を容易にして編集の際の操作性向上をはかった、携帯端末装置、および同装置における文字の編集方法、ならびにプログラムを提供することを目的とする。
【課題を解決するための手段】
【０００８】
上記した課題を解決するために本発明は、少なくとも、表示部と、入力部とを備え、前記入力部により、前記表示部に表示された文字列の一部をカットまたはコピーした後、前記カットまたはコピーした部分を文章中の所定の位置にペーストする編集が可能な携帯端末装置において、前記文字列の一部がカットまたはコピーされたことを検出すると、前記カットまたはコピーされた文字列を、他の文字列とは異なる表示形態で前記表示部に一時表示する制御部、を備えたことを特徴とする。
【０００９】
本発明において、前記制御部は、前記文字列をカットまたはコピーする毎に、直近にカットされまたはコピーされた文字列とは異なる表示形態で逐次表示することを特徴とする。
【００１０】
本発明において、前記制御部は、前記ペーストされた文字列を、他の文字列とは異なる表示形態で前記表示部に一時表示することを特徴とする。
【００１１】
本発明において、前記制御部は、前記カットまたはコピーされた文字列の前記ペーストによる編集が終了したことを検知したときに、前記カットまたは前記コピーされた文字列の前記表示部への一時的に表示を解除することを特徴とする。
【００１２】
本発明において、前記制御部は、前記表示部の画面の一部領域に割り当てられ表示される釦の押下を検知したときに、前記カットまたはコピーした文字列の前記表示部への一時表示を解除することを特徴とする。
【００１３】
本発明は、少なくとも、表示部と、入力部とを備え、前記入力部により、前記表示部に表示された文字列の一部をカットまたはコピーした後、前記カットまたはコピーした部分を文章中の所定の位置にペーストする文字列の編集が可能な携帯端末装置における文字の編集方法であって、前記文字列の一部がカットまたはコピーされたことを検出するステップと、前記カットまたはコピーされた文字列を、他の文字列とは異なる表示形態で前記表示部に一時的に表示するステップと、
を有することを特徴とする。
【００１４】
本発明は、コンピュータによって制御され、表示された文字列の一部をカットまたはコピーした後、前記カットまたはコピーした部分を文章中の所定の位置にペーストする文字列の編集が可能な携帯端末装置に使用されるプログラムであって、前記コンピュータに、前記文字列の一部がカットまたはコピーされたことを検出する処理と、前記カットまたはコピーされた文字列を、他の文字列とは異なる表示形態で一時的に表示する処理と、を実行させることを特徴とする。
【発明の効果】
【００１５】
本発明によれば、カットまたはペーストした文字列の確認を容易にして編集の際の操作性向上をはかった、携帯端末装置、および同装置における文字の編集方法、ならびにプログラムを提供することができる。
【図面の簡単な説明】
【００１６】
【図１】本発明の実施の形態に係る携帯端末装置の外観構成図である。
【図２】本発明の実施の形態に係る携帯端末装置の構成を示すブロック図である。
【図３】本発明の実施の形態に係る携帯端末装置の動作を示すフローチャートである。
【図４】本発明の実施の形態に係る携帯端末装置の動作を表示イメージで時系列に示した図である。
【発明を実施するための形態】
【００１７】
以下、添付図面を参照して本発明を実施するための実施の形態（以下、単に本実施形態という）について詳細に説明する。
【００１８】
（実施形態の構成）
図１（ａ）は、本実施形態に係る携帯端末装置１の外観正面図、（ｂ）は側面図である
。図２は、携帯端末装置１の構成を示すブロック図である。本実施形態に係る携帯端末装置１の構成を図１及び図２の双方を使用して説明する。
【００１９】
携帯端末装置１は、薄型の長方形状のキャビネット１０を有する。キャビネット１０の正面側には、タッチパネルＴＰが配置され、このタッチパネルＴＰは、表示部と入力部が一体的に形成されており、表示部としてのディスプレイ１１と、入力部としてのタッチセンサ１２とを備える。
【００２０】
ディスプレイ１１は、液晶パネル１１ａと、液晶パネル１１ａを照明するバックライト１１ｂにより構成されている。液晶パネル１１ａは、画像を表示するための表示面１１ｃを表に有し、表示面１１ｃが外部に現れる。表示面１１ｃには、多数のアプリケーションのショートカットアイコンが並べられたホーム画面や、これらアプリケーションに基づく実行画面が表示される。なお、液晶パネル１１ａに代えて、有機ＥＬ（Organic  Electro-Luminescense）など他の表示素子を用いてもよい。
【００２１】
タッチセンサ１２は、表示面１１ｃの上に透明なシート状に形成されており、タッチセンサ１２を透して表示面１１ｃを見ることができる。また、タッチセンサ１２は、ユーザがタッチした表示面１１ｃ上の位置（以下、「入力位置」と言う。）を検出し、その入力位置に応じた位置信号を後述するＣＰＵ１００へ出力する。なお、表示面１１ｃにタッチするとは、実際には、タッチセンサ１２を覆うカバーの表面における表示面１１ｃに相当する領域を触れることである。
【００２２】
タッチセンサ１２は、例えば、静電容量式のタッチセンサであり、マトリクス状に配された第１透明電極、第２透明電極及びカバーを備え、その第１及び第２透明電極間の静電容量の変化を検出することによって、入力位置を検出する。タッチセンサ１２は、静電容量式のタッチセンサに限られず、超音波式、感圧式、抵抗腹式、光検出式等のタッチセンサであってもよい。
【００２３】
ユーザは、自身の指、又はペンなどの接触部材（簡単のため、以下、単に「指」と言う）によって表示面１１ｃを触れ、ドラッグや後述するピンチイン操作によるオブジェクトの移動や、タップ操作による選択実行等、各種操作を行うことができる。なお、ここで使用されるタッチセンサ１２はマルチタッチに対応しており、例えば、２本指によって表示面１１ｃ上のオブジェクトに指を載せ、開くことでズームし、閉じることでズームアウトする、「ピンチズーム」、「ピンチイン」の操作も可能である。
【００２４】
なお、タッチパネルＴＰの縦方向の下方には、タッチキー１３ａ，１３ｂ，１３ｃから成るキー操作部１３が配置されている。タッチキー１３ａ〜１３ｃは、具体的には、ホームキー１３ａ、設定キー１３ｂ、バックキー１３ｃである。ホームキー１３ａは、ホーム画面を表示面１１ｃに表示させるためのキーである。設定キー１３ｂは、各種設定を行う設定画面を表示面１１ｃに表示させるためのキーである。バックキー１３ｃは、アプリケーションの実行の際、表示面１１ｃに表示される画面を１ステップ前の画面に戻すためのキーである。
【００２５】
キャビネット１０の正面側には、縦方向の下部にマイクロホン（マイクと言う）１４が配されており、上部にスピーカ１５が配置されている。ユーザは、スピーカ１５からの音声を耳で捉え、マイク１４に対して音声を発することにより通話を行うことができる。キャビネット１０の背面側には、カメラモジュール１６が配置されている。キャビネット１０の背面には、レンズ窓（図示せず）が配されており、レンズ窓から被写体の画像がカメラモジュール１６に取り込まれる。
【００２６】
なお、携帯端末装置１は、バッテリ（リチウムイオン電池）によって駆動され、このバッテリはキャビネット１０の裏側に実装されている（図示省略）。
【００２７】
更に、携帯端末装置１は、図２に示すように、上述した各構成要素の他、ＣＰＵ１００と、メモリ１０１と、画像処理部１０２と、キー入力部１０３と、音声エンコーダ１０４と、音声デコーダ１０５と、映像エンコーダ１０６と、通信モジュール１０７と、加速度センサ１０８とを備える。更に、ＣＰＵ１００は、表示制御部１２０を備えている。
【００２８】
画像処理部１０２は、ＣＰＵ１００から入力された制御信号に従ってディスプレイ１１に表示される画像を生成し、画像データをＶＲＡＭ（Video RAM：ブライム）１０２ａに
記憶させる。更に、そのＶＲＡＭ１０２ａに記憶された画像データを含む画像信号を、ディスプレイ１１へ出力する。また、画像処理部１０２は、ディスプレイ１１を制御するための制御信号を出力し、ディスプレイ１１のバックライト１１ｂを点灯又は消灯させる。このようにして、バックライト１１ｂから放出された光が、画像信号に基づいて液晶パネル１１ａにより変調されることにより、ディスプレイ１１の表示面１１ｃに画像が表示される。
【００２９】
キー入力部１０３は、キー操作部１３の各キーが押下された際に、押下キーに応じた信号をＣＰＵ１００へ出力する。音声エンコーダ１０４は、マイク１４で集音した音声に応じて出力される音声信号をデジタルの音声信号に変換し、ＣＰＵ１００へ出力する。音声デコーダ１０５は、ＣＰＵ１００からの音声信号にデコード処理及びＤ／Ａ変換処理を施し、変換されたアナログの音声信号をスピーカ１５へ出力する。
【００３０】
通信モジュール１０７は、通話や通信のための電波を送受信するアンテナを備える。通信モジュール１０７は、ＣＰＵ１００から入力される信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００３１】
メモリ１０１は、ＲＯＭ及びＲＡＭを含み、ＣＰＵ１００に制御機能を付与するための制御プログラムと、種々のアプリケーションが記憶されている。また、メモリ１０１は、アプリケーションの実行の際に一時的に利用又は生成される各種のデータを記憶する、ワーキングメモリとしても使用される。なお、後述する本発明のプログラムも、制御プログラムあるいはアプリケーションとして、メモリ１０１の所定の領域に割当てられて記憶される。
【００３２】
ＣＰＵ１００は、制御プログラムに従って、カメラモジュール１６、マイク１４、通信モジュール１０７、ディスプレイ１１、タッチセンサ１２、スピーカ１５等、各構成要素を制御することにより、通話、カメラ、電子メール、Ｗｅｂブラウザ、地図、音楽プレーヤ等、各種のアプリケーションを実行する。
【００３３】
ＣＰＵ１００（制御部）は、編集にあたり、文字列の一部がカットまたはコピーされたことを検出すると、そのカットまたはコピーされた文字列を、色変更、ボールド表示等による強調表示、あるいは特殊括弧で括るか、小アイコン（ピクト表示）等、他の文字列とは異なる表示形態でディスプレイ１１（表示部）に一時表示する、制御部としての機能を実現する。なお、ペーストされた文字列についても同様、他の文字列とは異なる表示形態でディスプレイ１１に一時表示する。また、ＣＰＵ１００は、文字列をカットまたはコピーする毎に、直近にカットされまたはコピーされた文字列とは異なる表示形態で逐次表示してもよい。
【００３４】
ＣＰＵ１００は、カットまたはコピーされた文字列のペーストによる編集が終了したことを検知したときに、カットまたはコピーされた文字列のディスプレイ１１への一時表示を解除する。なお、ディスプレイ１１の画面の一部領域に割り当てられ表示される釦の押下を検知したときに、カットまたはコピーした文字列のディスプレイ１１への一時表示を解除してもよい。
【００３５】
加速度センサ１０８は、携帯端末装置１本体の傾き時の加速度を検出（又は検出ともいう）する。加速度センサ１０８は３軸加速度センサであり、図１に示すＸ軸方向、Ｙ軸方向及びＺ軸方向の３方向に生じる加速度を検出する。例えば、携帯端末装置１が、地面に対して縦方向から横方向、又は横方向から縦方向に傾けられた際に、その傾き角度に応じた加速度が検出される。更に、加速度センサ１０８は、検出した加速度に応じた加速度信号をＣＰＵ１００へ出力する。携帯端末装置１が静止状態にあるときには、携帯端末装置１に加わる重力加速度が加速度センサ１０８により検出される。加速度センサ１０８は、例えば、画面が常に正しい向きに表示されるようにしている。
【００３６】
（実施形態の動作）
以下、図１、図２に示す本実施形態に係る携帯端末装置１の動作につき、図３、図４を使用して詳細に説明する。
【００３７】
ＣＰＵ１００は、文字列の編集を行うにあたり、ディスプレイ１１の画面に表示された文字列の一部がカットまたはコピーされたことを検出すると（ステップＳ１０１“Ｙｅｓ”）、そのカットまたはコピーされた文字列を削除（消去）することなく、表示されている他の文字列とは異なる表示形態で一時表示するように制御する（ステップＳ１０２）。すなわち、ＣＰＵ１００は、色変更、ボールド（太字）表示等による強調表示等、文字修飾のための属性処理を施して画像処理部１０２に出力する。
【００３８】
画像処理部１０２は、ＣＰＵ１００から出力される、文字列、およびその修飾属性情報に基づき表示情報を生成し、内蔵するＶＲＡＭ１０２ａに書き込む。続いて、表示制御部１２０は、ディスプレイ１１（液晶パネル１１ａ）の表示タイミングに同期して画像処理部１０２が内蔵するＶＲＡＭ１０２ａからその表示情報を読み出し、ディスプレイ１１（液晶パネル１１ａ）に出力することにより、例えば、図４に示すような一部色付けされた所望の表示を得る。詳細は後述する。
【００３９】
なお、ＣＰＵ１００は、カットまたはコピーされた文字列を他の文字列とは異なる表示形態で表示するにあたり、文字修飾処理とは別に、該当文字列を特殊括弧で括る、あるいは小アイコン（ピクト表示）により強調する等が考えられる。
【００４０】
続いて、ＣＰＵ１００は、別の文字列に対するカットまたはコピーが検出されると（ステップＳ１０３“Ｙｅｓ”）、直近にカットあるいはコピーされた文字列を先の強調表示とは別の強調表示で表示する。すなわち、直近のステップＳ１０３で検出された文字列を、例えば赤色に変更表示し（強調表示１）、先のステップＳ１０１で検出された文字列を、例えば青色（強調表示２）に変更表示する（ステップＳ１０４）。すなわち、ＣＰＵ１００は、文字列をカットまたはコピーする毎に、直近にカットされまたはコピーされた文字列とは異なる表示形態で逐次表示する。
【００４１】
次に、ＣＰＵ１００は、文字列のペーストを検出すると（ステップＳ１０５“Ｙｅｓ”）、指定された位置にそのペーストされた文字列を、例えば紫色で表示（強調表示３）し、他の文字列と区別する（ステップＳ１０６）。すなわち、ＣＰＵ１００は、ペーストされた文字列についても他の文字列とは異なる表示形態でディスプレイ１１に一時表示する。そして、ＣＰＵ１００は、この文字列が先にカットした文字列であれば（ステップＳ１
０７“Ｙｅｓ”）、一定時間経過後（ステップＳ１０８“Ｙｅｓ”）、その文字列をカットした箇所から削除する。
【００４２】
最後に、ＣＰＵ１００は、カットまたはコピーされた文字列のペーストによる編集の終了を検出した場合、あるいは、ディスプレイ１１の画面の一部領域に割り当てられ表示される編集終了を示す釦の押下を検出した場合に、ディスプレイ１１画面上に強調表示された文字列の一時表示を解除し、編集後の最終的な文字列を表示する。
【００４３】
ここで、本実施形態に係る携帯端末装置における文字編集方法について、カット・アンド・ペーストを例示して説明する。図４にその場合の表示イメージが時系列で示されている。ここでは、携帯端末装置１のディスプレイ１１の画面上に「明日東京に行きます。」という編集対象文字列が表示されているものとする。
【００４４】
この状態でユーザは、（ａ）タッチパネルＴＰをタッチしてこれら文字列の中からまず、文字列「明日」をカットしたとする。そうすると、携帯端末装置１は、カットされた文字列「明日」を強調表示して他の文字列と区別する。続いてユーザは、（ｂ）「東京」をカットしたとする。このとき、直近にカットされた文字列「東京」は強調表示１により他の文字列と区別して表示され、以前に強調表示された文字列「明日」は強調表示２に変更される。
【００４５】
次にユーザは、（ｃ）文字列「東京へ」を文頭にペーストしたとする。このとき、携帯端末装置１は、（ｄ）文字列「東京へ」を強調表示３により他の文字列と区別して文頭にペーストして文字列「東京へ」を貼付けした後、例えば、５秒経過してカットしたにもかかわらず一時表示されていた文字列「東京」の強調表示を解除する。但し、このとき他の文字列の強調表示は継続している。最後に、携帯端末装置１は、（ｅ）テキストの編集の終了、もしくは釦押下による強調表示の解除指示を待って全ての文字列の強調表示を解除し、（ｆ）最終的な編集文字列「東京へ明日行きます」を得る。
【００４６】
（実施形態の効果）
本実施形態に係る携帯端末装置１によれば、制御部（ＣＰＵ１００）は、画面に表示された文字列の編集にあたり、文字列の一部がカットまたはコピーされたことを検出すると、そのカットまたはコピーされた文字列を他の文字列とは異なる表示形態でディスプレイ１１（表示部）に一時表示することにより、カットまたはコピーした文字列の視覚的な確認を容易にし、編集の際の操作性向上をはかることができる。また、ペーストされた文字列についても同様、他の文字列とは異なる表示形態でディスプレイ１１に一時表示することにより、ペーストした文字列の視覚的な確認を容易にし、編集の際の操作性向上がはかれる。また、カットまたはコピーした文字列を強調してペーストするまで一時表示を継続することで編集前後の状態をイメージし易すくなって編集効率が向上する他に、ユーザに利便性を提供できる。
【００４７】
また、本実施形態に係る携帯端末装置１によれば、文字列をカットまたはコピーする毎に、直近にカットされまたはコピーされた文字列とは異なる表示形態で逐次表示することにより、編集の過程を時系列で視覚的に確認でき、編集時の操作性を一層向上させることができる。また、カットまたはコピーされた文字列のペーストによる編集が終了したことを検知したときに、カットまたはコピーされた文字列のディスプレイ１１への一時表示を解除することにより従来の編集方法との互換性を維持できる。
【００４８】
なお、本実施形態に係る文字の編集方法は、例えば、図１、図２に示すように、少なくとも、表示部（ディスプレイ１１）と、入力部（タッチパネル１２）とを備え、前記入力部により、前記表示部に表示された文字列の一部をカットまたはコピーした後、前記カッ
トまたはコピーした部分を文章中の所定の位置にペーストする文字列の編集が可能な携帯端末装置１に適用される。そして、例えば、図３に示すように、前記文字列の一部がカットまたはコピーされたことを検出するステップ（Ｓ１０１，Ｓ１０３）と、前記カットまたはコピーされた文字列を、他の文字列とは異なる表示形態で前記表示部に一時表示するステップ（Ｓ１０２，ｓ１０４）と、を有することを特徴とする携帯端末装置における文字の編集方法である。
【００４９】
本実施形態に係る文字の編集方法によれば、編集にあたり、文字列の一部がカットまたはコピーされたことを検出すると、そのカットまたはコピーされた文字列を他の文字列とは異なる表示形態でディスプレイ１１（表示部）に一時表示することにより、カットまたはコピーした文字列の視覚的な確認を容易にし、編集の際の操作性が向上する文字の編集方法を提供することができる。
【００５０】
本実施形態に係るプログラムは、例えば、図２に示すように、コンピュータ（ＣＰＵ１００）によって制御され、表示された文字列の一部をカットまたはコピーした後、前記カットまたはコピーした部分を文章中の所定の位置にペーストする文字列の編集が可能な携帯端末装置１に使用されるプログラムである。そして、例えば、図３に示すように。前記コンピュータに、前記文字列の一部がカットまたはコピーされたことを検出する処理（Ｓ１０１，Ｓ１０３）と、前記カットまたはコピーされた文字列を、他の文字列とは異なる表示形態で一時表示する処理（Ｓ１０２，Ｓ１０４）と、を実行させるプログラムである。
【００５１】
本実施形態に係るプログラムによれば、携帯端末装置１の制御部（ＣＰＵ１００）が、メモリ１０１の所定の領域に格納されたプログラムを読み出して逐次実行することにより、文字列の一部がカットまたはコピーされたことを検出すると、そのカットまたはコピーされた文字列を他の文字列とは異なる表示形態でディスプレイ１１（表示部）に一時表示することにより、カットまたはコピーした文字列の視覚的な確認を容易にし、編集の際の操作性向上をはかった携帯端末装置１を提供することができる。
【００５２】
なお、本実施形態に係る携帯端末装置１によれば、スマートフォンを例示したが、タブレット端末、タッチパッド等、タッチパネルを入出力装置として有するＰＣ（Personal Computer）全般への適用が可能である。
【００５３】
以上、本発明の好ましい実施形態について詳述したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５４】
１…携帯端末装置、ＴＰ…タッチパネル、１１…ディスプレイ（表示部）、１２…タッチセンサ（入力部）、１００…ＣＰＵ（制御部）、１０１…メモリ、１０２…画像処理部、１２０…表示制御部。
【図１】
2014067284.tif 000003
【図２】
2014067284.tif 000004
【図３】
2014067284.tif 000005
【図４】
2014067284.tif 000006